(57)【要約】【課題】素足で履くフットカバーにおいて、歩行時や脱ぎ履き時にフットカバーが脱げてしまったり履き位置がずれてしまったりすることがなく、履き心地が良く、充分な立体性を備える。【解決手段】このフットカバー１００は、第１の伸縮性編地１０４と第２の伸縮性編地１０２とが接合されて形成され、足底部１０２Ｂ、側辺部１０８（上方側の側辺部１０４Ｂおよび下方側の側辺部１０２Ａ）、踵部１０２Ｃおよび足甲側の爪先を覆う爪先部１０４Ａを備える。第１の伸縮性編地１０４は、上方側の側辺部１０４Ｂと、爪先部１０４Ａと、爪先側の開口部１０６Ａとを構成する。第２の伸縮性編地１０２は、下方側の側辺部１０２Ａと、足底部１０２Ｂと、踵部１０２Ｃと、踵側の開口部１０６Ｂとを構成する。【選択図】図１
2019031752.tif 000002
【特許請求の範囲】
【請求項１】
爪先と踵を含む足底とを被覆するとともに足首を露出するフットカバーであって、足底部、側辺部、踵部および足甲側の爪先を覆う爪先部で形成され、前記足底部に対して上下反対側に足を出し入れするための開口部を設け、
前記フットカバーは、第１の伸縮性編地と第２の伸縮性編地とが接合されて形成され、
前記第１の伸縮性編地は、上方側の側辺部と、前記爪先部と、爪先側の開口部と、を構成し、
前記第２の伸縮性編地は、下方側の側辺部と、前記足底部と、前記踵部と、踵側の開口部と、を構成していることを特徴とするフットカバー。
【請求項２】
前記第１の伸縮性編地と前記第２の伸縮性編地とは、前記第１の伸縮性編地と前記第２の伸縮性編地とを重なり合わせることなく伸縮性編地の周縁を突き合わせて、前記突き合わせた部分を跨いだ接着テープにより接合することにより縫い目を備えないで立体的な形状に形成されていることを特徴とする、請求項１に記載のフットカバー。
【請求項３】
前記第１の伸縮性編地および前記第２の伸縮性編地は、それぞれ、所定の周縁形状を備えた平面状編地であって、
前記第１の伸縮性編地の周縁の少なくとも一部と前記第２の伸縮性編地の周縁の少なくとも一部とを前記周縁どうしを重なり合わせることなく突き合わせて、前記突き合わせた部分を跨いだ接着テープにより前記第１の伸縮性編地と前記第２の伸縮性編地とを接合することにより、前記足底部、前記側辺部および前記爪先部が形成され、
前記第２の伸縮性編地の一部の周縁どうしを重なり合わせることなく突き合わせて、前記突き合わせた部分を跨いだ接着テープにより前記第２の伸縮性編地を接合することにより、前記踵部が形成されていることを特徴とする、請求項２に記載のフットカバー。
【発明の詳細な説明】
【技術分野】
【０００１】
本発明は、着用するとスニーカー（男女の性別を問わないいわゆる運動靴）やパンプス（履き口である甲部分が大きく開いている主として婦人用の靴）等の靴の内側に隠れて見えなくなるフットカバーに関し、特に、履きやすく履き心地がよく、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【０００５】
また、これらの特許文献１および特許文献２に開示された従来のフットカバーは足底部と踵部とを別々の編地で構成されてそれらの編地が縫製されているために縫い目が足裏または踵に引っ掛かってしまうことがあり、歩行時やパンプスの脱ぎ履き時にフットカバーが脱げてしまったり履き位置がずれてしまったり、縫い目があるために履きにくかったり履き心地が悪かったりする問題がある。この問題を解決するフットカバーが、特開２０１７−０１４６６９号公報（特許文献３）に開示されている。このフットカバーは、爪先と踵を含む足底とを被覆するとともに足甲および足首を露出するフットカバーであって、足底部、側辺部、踵部および前記爪先を覆う爪先部で形成され、前記足底部、前記側辺部、前記踵部および前記爪先部は、平面状の伸縮性編地を接着テープで接合することにより縫い目を備えないで立体的な形状に形成されていることを特徴とする。
【先行技術文献】
【特許文献】
【０００６】
【特許文献１】特開平１０−２９２２０６号公報
【特許文献２】実用新案登録第３１６５７３３号公報
【特許文献３】特開２０１７−０１４６６９号公報
【発明の概要】
【発明が解決しようとする課題】
【０００７】
ここで、特許文献１に開示されたフットカバーの摩擦付与体だけでは十分でない場合があり、この場合には、歩行時、パンプスの脱ぎ履き時にフットカバーが脱げてしまったり
履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００８】
また、特許文献３に開示されたフットカバーは、足底部と踵部とを１枚の編地で構成したために足底部と踵部とを接合する縫い目がないために、フットカバーが脱げてしまったり履き位置がずれてしまったり、履きにくかったり、履き心地が悪かったりする問題を好適に解決できているものの、１枚の編地構成であるために立体性やデザイン性に欠ける可能性、および、靴の脱ぎ履き時にフットカバーが脱げてしまったり履き位置がずれてしまったりする可能性、を完全には排除するには至らない場合が想定される。
【０００９】
本発明は、従来技術の上述の問題点に鑑みて開発されたものであり、その目的とするところは、歩行時や脱ぎ履き時にフットカバーが脱げてしまったり履き位置がずれてしまったりすることがなく、履き心地が良く、充分な立体性やデザイン性を備えたフットカバーを提供することを目的とする。
【課題を解決するための手段】
【００１０】
上記目的を達成するため、本発明に係るフットカバーは以下の技術的手段を講じている。
すなわち、本発明に係るフットカバーは、爪先と踵を含む足底とを被覆するとともに足首を露出するフットカバーであって、足底部、側辺部、踵部および足甲側の爪先を覆う爪先部で形成され、前記足底部に対して上下反対側に足を出し入れするための開口部を設け、前記フットカバーは、第１の伸縮性編地と第２の伸縮性編地とが接合されて形成され、前記第１の伸縮性編地は、上方側の側辺部と、前記爪先部と、爪先側の開口部と、を構成し、前記第２の伸縮性編地は、下方側の側辺部と、前記足底部と、前記踵部と、踵側の開口部と、を構成していることを特徴とする。
【００１１】
好ましくは、前記第１の伸縮性編地と前記第２の伸縮性編地とは、前記第１の伸縮性編地と前記第２の伸縮性編地とを重なり合わせることなく伸縮性編地の周縁を突き合わせて、前記突き合わせた部分を跨いだ接着テープにより接合することにより縫い目を備えないで立体的な形状に形成されているように構成することができる。
さらに好ましくは、前記第１の伸縮性編地および前記第２の伸縮性編地は、それぞれ、所定の周縁形状を備えた平面状編地であって、前記第１の伸縮性編地の周縁の少なくとも一部と前記第２の伸縮性編地の周縁の少なくとも一部とを前記周縁どうしを重なり合わせることなく突き合わせて、前記突き合わせた部分を跨いだ接着テープにより前記第１の伸縮性編地と前記第２の伸縮性編地とを接合することにより、前記足底部、前記側辺部および前記爪先部が形成され、前記第２の伸縮性編地の一部の周縁どうしを重なり合わせることなく突き合わせて、前記突き合わせた部分を跨いだ接着テープにより前記第２の伸縮性編地を接合することにより、前記踵部が形成されているように構成することができる。
【発明の効果】
【００１２】
本発明のフットカバーによれば、歩行時や脱ぎ履き時にフットカバーが脱げてしまったり履き位置がずれてしまったりすることがなく、履き心地が良く、充分な立体性やデザイン性を備えることができる。
【図面の簡単な説明】
【００１３】
【図１】本発明の実施の形態に係るフットカバーの全体斜視図である。
【図２】図１のフットカバーを裏返した全体斜視図である。
【図３】図１に示すフットカバーの三面図である。
【図４】図２に示すフットカバーの三面図である。
【図５】図１のフットカバーの展開図である。
【発明を実施するための形態】
【００１４】
以下、本発明の実施の形態に係るフットカバー１００を、図面に基づき詳しく説明する。図１は、本実施の形態に係るフットカバー１００を足Ｆに着用した着用状態を示す全体
斜視図であって、図２は、図１に示すフットカバー１００を裏返した全体斜視図である。これらの図１および図２に示す着用状態の三面図が図３（図１に対応する図）および図４（図２に対応する図であって図３を裏返した図）である。さらに、図５は、このフットカバー１００の展開図であって、このフットカバー１００を構成する伸縮性編地の型紙（第１の伸縮性編地１０４用の第１の型紙１４０および第２の伸縮性編地１０２用の第２の型紙１２０）を示す図でもある。ここで、図１〜図４は、着用者の足Ｆにこのフットカバー１００を着用している状態を想定している。すなわち、本実施の形態に係るフットカバー１００は、パンティストッキング等に用いられる薄手の伸縮性編地で形成されているために、このように想定して図示しない場合には縮んだ状態となり、形状を理解することが困難なため、上述のように想定している。特に、図３および図４においては、このフットカバー１００の特徴を容易に理解できるように、実際に着用している状態よりも足底部１０２Ｂがよく見えるように描かれている。
【００１５】
以下において、これらの図に基づいてこのフットカバー１００について詳しく説明する。ここで、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその生地の接合方法がどのようなものであっても基本的には構わない。なお、このフットカバー１００においては、生地として編地を採用している。以下に示すフットカバーの構造自体は単なる例示でしかない。
【００１６】
なお、このフットカバー１００を形成する生地は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でフットカバーに好ましい。
【００１７】
さらに、本実施の形態に係るフットカバー１００は、爪先と踵を含む足底とを被覆するとともに足首を露出する。ここで、フットカバー１００を着用した場合において足甲は露出しても露出しなくてもどちらでも構わないが、フットカバー１００を着用してパンプス（履き口である甲部分が大きく開いている主として婦人用の靴）を履く場合には足甲は露出してパンプスにフットカバー１００が隠れることが好ましい。このフットカバー１００は、足底部１０２Ｂ、側辺部１０８（より詳しくは上方側の側辺部１０４Ｂおよび下方側の側辺部１０２Ａ）、踵部１０２Ｃおよび足甲側の爪先を覆う爪先部１０４Ａで形成され、足底部１０２Ｂに対して上下反対側に足Ｆを出し入れするための開口部１０６（より詳しくは爪先側の開口部１０６Ａおよび踵側の開口部１０６Ｂ）が設けられている。
【００１８】
また、限定されるものではないが、以下に示すフットカバー１００は左右共用であって、左右共用であるために左右を履き間違いすることがない点で好ましい。なお、フットカバーが左右共用でない場合には、左足用と右足用とは左右対称の形状を備える。このフットカバー１００を足Ｆに着用してスニーカー（男女の性別を問わないいわゆる運動靴）やパンプス（履き口である甲部分が大きく開いている主として婦人用の靴）等の靴を履くと、靴の内側に隠れて靴からフットカバー１００が露出しないのでフットカバー１００が見えなくなる。ここで、着用時に靴から露出することのないとは、フットカバー１００が靴に隠れて、見えなくなることも、見えにくくなることも含む。
【００１９】
そして、特徴的であるのは、このフットカバーは１００は、第１の伸縮性編地１０４（図５に示す第１の型紙１４０と同じ周縁形状を備える編地）と、第２の伸縮性編地１０２（図５に示す第２の型紙１２０と同じ周縁形状を備える編地）とが接合されて形成されている。そして、第１の伸縮性編地１０４は、上方側の側辺部１０４Ｂと、（足甲側の爪先を覆い足裏側の爪先を覆わない）爪先部１０４Ａと、爪先側の開口部１０６Ａ（以下にお
いて爪先側開口部１０６Ａと記載する場合がある）とを構成する。第２の伸縮性編地１０２は、下方側の側辺部１０２Ａと、足底部１０２Ｂと、踵部１０２Ｃと、踵側の開口部１０６Ｂ（以下において踵側開口部１０６Ｂと記載する場合がある）とを構成する。
【００２０】
ここで、開口部１０６については、このフットカバー１００は（スニーカーに好適な）深履き用であるために小さな開口面積になっていて上方側の側辺部１０４Ｂが足甲を覆っている。しかしながら、上述した特徴を備えた本発明に係るフットカバーはこのような深履き用に限定されるものではない。たとえば図５に２点鎖線で示すように爪先側開口部１０６Ａを爪先側の拡大開口部１５６Ａへ変更した第１の伸縮性編地１０４とすることにより（図５に２点鎖線矢示で示すように爪先側開口部１０６Ａを拡大開口部１５６Ａまで図上で下降）、図１に２点鎖線で示す位置まで開口部１０６を前側（爪先側）へ拡大することができる。このように第１の伸縮性編地１０４を変更することにより、本発明の特徴を備えたまま浅履き用の（パンプスを履いても隠れる）フットカバー１００を実現することが可能である。なお、この場合には、上方側の側辺部１０４Ｂは足甲を覆わないで足の側方を覆うのみの側辺部１０８を構成することになる。
【００２１】
このフットカバー１００においては、以下に示すように、第１の伸縮性編地１０４と第２の伸縮性編地１０２とを肌当接面とは反対面（外側：靴側）を接着テープ１１０により接合しているが、本発明はこれに限定されるものではない。第１の伸縮性編地１０４と第２の伸縮性編地１０２とを接合するものであれば限定されるものではなく、たとえば縫着（縫合による接着）により接合（縫合）されていても構わない。また、接着テープ１１０による接合であっても、肌当接面とは反対面ではなく肌当接面（内側：肌側）を接着テープ１１０により接合しても構わないし、肌当接面とその反対面との両面をそれぞれ接着テープ１１０により接合しても構わない。このように、編地の接合については限定されるものではないが、接着テープを採用する場合には、帯状部材の一面に接着剤が塗布された接着テープであって、加熱することにより接着剤が溶融して編地を熱接着して接合するものが好ましい。なお、この場合の接合には、熱圧着によるもの、熱溶着によるもの、熱融着によるもの等を含む。なお、一般的に、このような接着テープ１１０は、第１の伸縮性編地１０４および第２の伸縮性編地１０２よりも伸縮性が小さく伸びにくく、接着テープに替えて縫合した場合の縫合部は第１の伸縮性編地１０４および第２の伸縮性編地１０２よりも伸縮性が小さく伸びにくい。
【００２２】
そして、好ましくは、このフットカバー１００は、接着テープ１１０により接合するにおいて、第１の伸縮性編地１０４と第２の伸縮性編地１０２とを、第１の伸縮性編地１０４と第２の伸縮性編地１０２とを重なり合わせることなく伸縮性編地の周縁を突き合わせて、突き合わせた部分を跨いだ接着テープ１１０により接合することにより縫い目を備えないで立体的な形状に形成されている。このため、このフットカバー１００は、周縁どうしを突き合わせているので段差がなく、接合方法として接着テープを採用したので縫い目を備えないで、立体的な形状に形成されている。
さらに好ましくは、第１の伸縮性編地１０４および第２の伸縮性編地１０２は、それぞれ図５の第１の型紙１４０および第２の型紙１２０に示すように、、所定の周縁形状を備えた平面状編地である。これらの第１の伸縮性編地１０４の周縁の少なくとも一部（ここでは図５に示すＵ字形状の周縁形状の上側接着線１１０Ｕ）と第２の伸縮性編地１０２の周縁の少なくとも一部（ここでは図５に示す逆Ｕ字形状の周縁形状の下側接着線１１０Ｄ）とを周縁どうしを重なり合わせることなく突き合わせて、突き合わせた部分を跨いだ接着テープ１１０により第１の伸縮性編地１０４と第２の伸縮性編地１０２とを接合することにより、足底部１０２Ｂ、側辺部１０８（上方側の側辺部１０４Ｂおよび下方側の側辺部１０２Ａ）および爪先部１０４Ａが形成されている。さらに、第２の伸縮性編地１０２の一部の周縁どうし（ここでは図５に示す右側接着線１１２Ｒおよび左側接着線１１２Ｌ）を重なり合わせることなく突き合わせて、突き合わせた部分を跨いだ踵接着テープ１１２により第２の伸縮性編地１０２を接合することにより、踵部１０２Ｃが形成されている。
【００２３】
このように、このフットカバー１００は、第１の伸縮性編地１０４と第２の伸縮性編地
１０２とをそれらの少なくとも一部の周縁どうしを突き合わせて接着テープ１１０で接合するとともに、第２の伸縮性編地１０２の一部の周縁どうしを突き合わせて踵接着テープ１１２で接合することにより、周縁どうしを突き合わせているので段差がなく、接合方法として接着テープを採用したので縫い目を備えないで、立体的な形状に形成されている。
【００２４】
このような特徴を備えたフットカバー１００の詳細についてさらに詳しく説明する。
上述したように、足底部１０２Ｂに対して上下反対側に足を出し入れするために設けられた開口部１０６の上縁の全周に亘って伸縮性細幅生地１１４が設けられている。このフットカバー１００においては、限定されるものではないが、（たとえば本願出願人により出願され公開された特開２０１４−１３３９５２号公報に記載されたように）伸縮性細幅生地１１４を折り返して折り返した線が開口部１０６の上縁に略一致するように設けられている。その結果、伸縮性細幅生地１１４の幅の略半分がフットカバー１００の内側（足Ｆが接する側である内側：肌当接面側）に、伸縮性細幅生地１１４の幅のもう一方の略半分がフットカバー１００の外側（足Ｆが接する逆側である外側：肌当接面の反対面）に、跨がって伸縮性細幅生地１１４が設けられている。このフットカバー１００を履くときに伸縮性細幅生地１１４を伸張させると開口部が大きく開くために履きやすく、かつ、このフットカバー１００を履いた後は伸縮性細幅生地１１４を収縮して開口部が小さくなるために歩行時にフットカバー１００が脱げることがない。なお、この開口部の上縁の全周に亘ってフットカバー１００の外側のみ（足Ｆが接する側とは逆側：外側：靴側）または内側のみ（足Ｆが接する側：内側：肌側）に伸縮性細幅生地１１４を設けるようにしても構わない。なお、この伸縮性細幅生地１１４は、開口部の上縁の全周ではなく上縁の一部に設けるようにしても構わないし、連続的ではなく断続的に設けるようにしても構わない。
【００２５】
さらに、このフットカバー１００の踵部１０２Ｃの上縁におけるフットカバー１００の内側（足Ｆが接する側：肌側）には、シリコーン樹脂等の薄い透明のシートで形成された踵部滑り止め１１６を設けることも好ましい。従って、踵部１０２Ｃは、第２の伸縮性編地１０２どうしが踵接着テープ１１２で接合され（ここでは外側（靴側）のみに踵接着テープ１１２が接着され内側（肌側）は第２の伸縮性編地１０２の周縁どうしが突き合わせられているのみ）、その内側（肌側）に伸縮性細幅生地１１４が設けられ、さらにその内側（肌側）に踵部滑り止め１１６が設けられている。これにより、足Ｆの踵との密着性を高めてフットカバー１００が足Ｆの踵の部分からずれることをさらに防止することができる。なお、この踵部滑り止め１１６は、本発明に係るフットカバーにおいて必須の構成ではない。
【００２６】
そして、このフットカバー１００の特徴は、図５の展開図（型紙）に示すように、上方側の側辺部１０４Ｂと（足甲側の爪先を覆い足裏側の爪先を覆わない）爪先部１０４Ａと爪先側開口部１０６Ａとが第１の型紙１４０により表される所定の周縁形状を備えた第１の伸縮性編地１０４により構成され、下方側の側辺部１０２Ａと足底部１０２Ｂと踵部１０２Ｃと踵側開口部１０６Ｂとが第２の型紙１２０により表される所定の周縁形状を備えた第２の伸縮性編地１０２により構成されている点である。すなわち、側辺部１０８が上方側の側辺部１０４Ｂと下方側の側辺部１０２Ａとにより構成されている。なお、このように側辺部１０８が２枚の伸縮性編地が接合されて上方側の側辺部１０４Ｂと下方側の側辺部１０２Ａとにより構成されその接合線が爪先から踵へ向けて斜めに上がっているフットカバーであれば、伸縮性編地は２枚でなく３枚（以上）であっても構わない。
【００２７】
そして、第１の伸縮性編地１０４と第２の伸縮性編地１０２とが図５の矢示Ｘ（１）方向および矢示Ｘ（２）方向にそれぞれ接近されて、第１の伸縮性編地１０４における爪先側開口部１０６Ａ以外の周縁である上側接着線１１０Ｕと、第２の伸縮性編地１０２における踵側開口部１０６Ｂ以外ならびに右側接着線１１２Ｒ以外および左側接着線１１２Ｌ以外の下側接着線１１０Ｄとが、互いの編地が重なり合わないように突き合わせられてその周縁が当接され、１本の接着テープ１１０により接合されている。なお、接着テープ１１０は１本ではなく２本以上に分断されていても構わない。
【００２８】
すなわち、第１の伸縮性編地１０４の周縁の少なくとも一部（図５に示す上側接着線１１０Ｕ）と第２の伸縮性編地１０２の周縁の少なくとも一部（図５に示す下側接着線１１
０Ｄ）とを周縁どうしを重なり合わせることなく突き合わせて、突き合わせた部分を跨いだ接着テープ１１０により第１の伸縮性編地１０４と第２の伸縮性編地１０２とを接合することにより、足底部１０２Ｂ、側辺部１０８（上方側の側辺部１０４Ｂおよび下方側の側辺部１０２Ａ）および爪先部１０４Ａが形成されている。
【００２９】
さらに、第２の伸縮性編地１０２における右側接着線１１２Ｒと左側接着線１１２Ｌとが、互いの編地が重なり合わないように突き合わせられてその周縁が当接され、１本の踵接着テープ１１２により接合されている。なお、踵接着テープ１１２は１本ではなく２本以上に分断されていても構わない。
すなわち、第２の伸縮性編地１０２の一部の周縁どうし（図５に示す右側接着線１１２Ｒおよび左側接着線１１２Ｌ）を重なり合わせることなく突き合わせて、突き合わせた部分を跨いだ踵接着テープ１１２により第２の伸縮性編地１０２を接合することにより、踵部１０２Ｃが形成されている。
【００３０】
これらの場合において、接着テープ１１０および踵接着テープ１１２はその一面（編地（第１の伸縮性編地１０４および第２の伸縮性編地１０２）側）に接着剤が塗布されており、加熱することにより接着テープ１１０および踵接着テープ１１２に塗布された接着剤が溶融して編地を熱接着して接合している。また、このフットカバー１００においては、接着テープ１１０および踵接着テープ１１２は、フットカバー１００の表側（足Ｆが接する逆側：靴側）から熱接着されて編地を接合している。しかしながら、上述したように、接着テープ１１０および／または踵接着テープ１１２は、フットカバー１００の裏側（足Ｆが接する側：肌側）から熱接着されて編地を接合するようにしても構わない。このようにして、周縁どうしを突き合わせているので段差がなく、接合方法として接着テープを採用したので縫い目を備えないで、足底部１０２Ｂ、側辺部１０８（上方側の側辺部１０４Ｂおよび下方側の側辺部１０２Ａ）、踵部１０２Ｃおよび足甲側の爪先を覆う爪先部１０４Ａで形成され、足底部１０２Ｂに対して上下反対側に足Ｆを出し入れするための開口部１０６（爪先側開口部１０６Ａおよび踵側開口部１０６Ｂ）が設けられているフットカバー１００が立体的に形成されている。
【００３１】
このように立体的に形成されたこのフットカバー１００においては、従来のフットカバーのように足底部と踵部とが別々の編地で縫製されている場合に発生する縫い目が踵に引っ掛かって歩行時やパンプスの脱ぎ履き時にフットカバーが脱げてしまったり履き位置がずれてしまったりする問題を回避することができ、かつ、段差も縫い目も全く存在しないので履き心地が極めて良いものとなる。
【００３２】
このように、このフットカバー１００における側辺部１０８は、上方側の側辺部１０４Ｂ（第１の伸縮性編地１０４）および下方側の側辺部１０２Ａ（第２の伸縮性編地１０２）により構成されている。そして、第１の伸縮性編地１０４と第２の伸縮性編地１０２とを接合してこのフットカバー１００における側辺部１０８が形成される。このため、第１の伸縮性編地１０４と第２の伸縮性編地１０２との接合線（上側接着線１１０Ｕおよび下側接着線１１０Ｄ）が図１〜図４に白抜き矢示で示すように爪先から踵へ向けて斜めに上がっている。そして、この接合線に沿うように設けられる、接着テープ１１０または縫製による縫合部は、第１の伸縮性編地１０４および第２の伸縮性編地１０２よりも（通常は）伸びにくいために（伸縮性編地よりも伸縮性が小さく伸びにくいために）、白抜き矢示で示す引き上げ力が発現する。このため、フットカバー１００を着用して靴を着用して歩行した場合において、靴の動きに合わせてフットカバー１００が脱げる方向に（斜め下方に）フットカバー１００が引き下げられても、その引き下げ力に抗する白抜き矢示で示す引き上げ力によりフットカバー１００が足Ｆからずれることを防止することができる。
【００３３】
限定されるものではないが、このフットカバー１００においては、着用時に着用者の足甲の部分の周囲を巻いて、フットカバー１００がずれることを防止する足回りホールド部１３０を備えることも好ましい。この足回りホールド部１３０は、第１の伸縮性編地１０４および／または第２の伸縮性編地１０２よりも伸縮性が小さく伸びにくい生地を、たとえば、足甲の部分の周囲に設けることにより実現される。より具体的には、下方側の側辺部１０２Ａと上方側の側辺部１０４Ｂとで構成される側辺部１０８における足甲の部分に
、足回りホールド部１３０を構成する伸縮性の小さい生地を貼付する。この場合において、このフットカバー１００においては、足回りホールド部１３０を構成する伸縮性の小さい生地を側辺部１０８の内側（肌側）に貼付しているが、側辺部１０８の外側（靴側）に貼付しても構わないし、側辺部１０８の内側（肌側）およびに外側（靴側）に貼付しても構わない。また、この足回りホールド部１３０は、下方側の側辺部１０２Ａに対応する下側部分と上方側の側辺部１０４Ｂに対応する上側部分とに分断して設けても構わない。
【００３４】
さらに、限定されるものではないが、このフットカバー１００においては、着用時に着用者の爪先の部分の周囲を巻いて、フットカバー１００の着用時に発生する汗を吸湿する爪先吸湿部１３２を備えることも好ましい。この爪先吸湿部１３２は、第１の伸縮性編地１０４および／または第２の伸縮性編地１０２よりも吸湿性が大きく汗を吸いやすい生地を、たとえば、爪先の部分の周囲に設けることにより実現される。より具体的には、下方側の足底部１０２Ｂと上方側の（足甲側の爪先を覆う）爪先部１０４Ａとで構成される爪先の部分に、爪先吸湿部１３２を構成する吸湿性の大きい生地を貼付する。この場合において、爪先吸湿部１３２を構成する吸湿性の大きい生地をフットカバー１００の内側（肌側）に貼付している。なお、この爪先吸湿部１３２は、下方側の足底部１０２Ｂに対応する下側部分と上方側の爪先部１０４Ａに対応する上側部分とに分断して設けても、上方側および下方側のいずれか一方側のみでも構わない。さらに、このような吸湿部を足底部１０２Ｂの肌側全体に設けるようにしても構わない。
【００３５】
さらに、足底部１０２Ｂにおいて、足Ｆが接する側と反対側（靴の一例であるパンプスを履いたときにパンプスの内底に接する側）には、シリコーン樹脂等の薄いシートで形成された足底部滑り止めを設けることも好ましい。これにより、パンプスの内底との密着性を高めてパンプス内におけるフットカバー１００の位置がずれることを防止できる。なお、この足底部滑り止めも、本発明に係るフットカバーにおいて必須の構成ではない。
【００３６】
なお、このフットカバー１００において、このフットカバー１００を形成する、第１の伸縮性編地１０４および第２の伸縮性編地１０２と、伸縮性細幅生地１１４とが同じ共生地で形成されていても構わない。すなわち、接着テープ１１０および踵接着テープ１１２を除いて、このフットカバー１００は、全て同じ伸縮性編地（トリコット等）で形成されていても構わない。なお、このフットカバー１００において、伸縮性細幅生地１１４は、伸縮性編地に、熱プレス装置により加熱することにより伸縮性細幅生地１１４に塗布された接着剤が溶融して伸縮性編地と熱接着して接合されている。
【００３７】
また、フットカバー１００において、このフットカバー１００を形成する第１の伸縮性編地１０４と第２の伸縮性編地１０２とが同じ生地でなく形成されていても構わないし、第１の伸縮性編地１０４と第２の伸縮性編地１０２と伸縮性細幅生地１１４とが同じ生地でなく形成されていても構わない。
以上のようにして、本実施の形態に係るフットカバー１００によると、第１の伸縮性編地１０４と第２の伸縮性編地１０２とがそれぞれ１枚の編地で構成され、かつ、それらが接着テープ１１０で接合されているとともに、踵接着テープ１１２により接合された踵部１０２Ｃが形成されて、足底部１０２Ｂ、側辺部１０８（上方側の側辺部１０４Ｂおよび下方側の側辺部１０２Ａ）、踵部１０２Ｃおよび足甲側の爪先を覆う爪先部１０４Ａで形成され、足底部１０２Ｂに対して上下反対側に足Ｆを出し入れするための開口部１０６（爪先側開口部１０６Ａおよび踵側開口部１０６Ｂ）が設けられているフットカバー１００が立体的に形成されている。このため、従来のフットカバーのように足底部と踵部とが別々の編地で縫製されている場合に発生する問題である、縫い目が踵に引っ掛かって歩行時やパンプスの脱ぎ履き時にフットカバーが脱げてしまったり履き位置がずれてしまったりする問題、を回避することができる。さらに、このフットカバー１００によると、段差も縫い目も全く存在しないので履き心地が極めて良いものとなる。
【００３８】
さらに、第１の伸縮性編地１０４と第２の伸縮性編地１０２との接合線（上側接着線１１０Ｕおよび下側接着線１１０Ｄ）が爪先から踵へ向けて斜めに上がっており、かつ、この接合線に沿うように設けられる接着テープ１１０が（通常は）伸縮性編地よりも伸縮性が小さく伸びにくいために、引き上げ力が発現する。このため、フットカバー１００を着
用して靴を着用して歩行した場合において、靴の動きに合わせてフットカバー１００が脱げる方向に（斜め下方に）フットカバー１００が引き下げられても、その引き下げ力に抗する白抜き矢示で示す引き上げ力によりフットカバー１００が足Ｆからずれることを防止することができる。
【００３９】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４０】
本発明は、素足で履くフットカバーに好適であり、歩行時や脱ぎ履き時にフットカバーが脱げてしまったり履き位置がずれてしまったりすることがなく、履き心地が良く、充分な立体性やデザイン性を備える点で特に好ましい。
【符号の説明】
【００４１】
１００  フットカバー
１０２  第２の伸縮性編地
１０２Ａ  下方側の側辺部（側辺部１０８における下側）
１０２Ｂ  足底部
１０２Ｃ  踵部
１０４  第１の伸縮性編地
１０４Ａ  （足甲側の爪先を覆う）爪先部
１０４Ｂ  上方側の側辺部（側辺部１０８における上側）
１０６  開口部
１０６Ａ  （第１の伸縮性編地１０４により構成される）爪先側の開口部
１０６Ｂ  （第２の伸縮性編地１０２により構成される）踵側の開口部
１０８  側辺部
１１０  接着テープ
１１２  踵接着テープ
１１４  （開口部１０６周縁に設けられた）伸縮性細幅生地
１１６  踵部滑り止め
１２０  第２の型紙（第２の伸縮性編地１０２用）
１３０  足回りホールド部
１３２  爪先吸湿部
１４０  第１の型紙（第１の伸縮性編地１０４用）
Ｆ  足
【図１】
2019031752.tif 000003
【図２】
2019031752.tif 000004
【図３】
2019031752.tif 000005
【図４】
2019031752.tif 000006
【図５】
2019031752.tif 000007